(57)【要約】【課題】本発明の課題は、携帯電話等に、落下等による衝撃が加わってもモータが回路基板から脱落することを防止することである。【解決手段】本発明に係る保持枠付きモータ１は、回路基板６の切欠き部１５に陥没状態で装着される保持枠付きモータ１であって、保持枠１１は、モータ胴部５の周囲を全周囲んで保持し、その半径方向外方に突出し回路基板６の一面側から切欠き部１５の縁部８а、８ｂに載置される載置部１７а、１７ｂを有し、切欠き部１５の縁部８а、８ｂに固定するようにしている。【選択図】図１
2009177870.tif 000002
【特許請求の範囲】
【請求項１】
回路基板の切欠き部に陥没状態で装着される保持枠付きモータであって、保持枠は、モータ胴部の周囲を全周囲んで保持し、その半径方向外方に突出し回路基板の一面側から切欠き部の縁部に載置される載置部を有し、切欠き部の縁部に固定されることを特徴とする保持枠付きモータ。
【請求項２】
保持枠は、軟質樹脂製であり、弾性変形して回路基板の切欠き部に嵌め込まれることを特徴とする請求項１に記載の保持枠付きモータ。
【請求項３】
回路基板の給電部は回路基板の切欠き部の縁に沿って設けられており、モータの給電端子は回路基板の給電部に対向して且つモータの回転軸方向に沿って設けられた接地部を備え、接地部は、回路基板の給電部に固定されており且つ載置部と回路基板の給電部とに挟まれていることを特徴とする請求項２に記載の保持枠付きモータ。
【請求項４】
給電端子の接地部の寸法はモータ胴部の回転軸方向の長さの半分以上であることを特徴とする請求項３に記載の保持枠付きモータ。
【請求項５】
給電端子の基端部はモータの回転軸線に交差する端面に固定されており、給電端子の先端部は保持枠に係止する係止部を備え、給電端子の接地部は基端部と先端部との間に位置することを特徴とする請求項４に記載の保持枠付きモータ。
【請求項６】
保持枠には給電端子の先端部を挿通する挿通孔が形成されており、係止部は、弾性変形可能に設けられており、給電端子の先端部を挿通孔に挿通するときに弾性変形して挿通孔を通り、挿通後弾性復帰して挿通孔の径方向外側に突出して挿通孔の周囲部に係止することを特徴とする請求項５に記載の保持枠付きモータ。
【請求項７】
回路基板の切欠き部の縁には凹部又は凸部が形成されており、保持枠は切欠き部の端面の凹部又は凸部に嵌合する嵌合部を備えたことを特徴とする請求項６に記載の保持枠付きモータ。
【請求項８】
回転軸に分銅を偏心固定したことを特徴とする請求項１〜７の何れか一項に記載の保持枠付きモータ。
【請求項９】
請求項８に記載の保持枠付きモータを回路基板に備えたことを特徴とする携帯電話。
【発明の詳細な説明】
【技術分野】
【０００１】
本発明は、回路基板の切欠き部に装着される保持枠付きモータ、及びこの保持枠付きモータを回路基板に備えた携帯電話に関する。
【背景技術】
【０００２】
特許文献１には、携帯電話等の回路基板の切欠き部にモータを装着する場合において、モータの周面の一部をコ字状の金属製保持枠の内周に溶接して、保持枠を回路基板の一面側から切欠き部の縁部に載置して固定することにより、モータを回路基板の切欠き部に陥没状態で固定する技術が開示されている。
【０００３】
【特許文献１】特許第３９０２６１８号公報
【発明の開示】
【発明が解決しようとする課題】
【０００４】
しかし、特許文献１においては、携帯電話等が落下等することにより衝撃が加わると、保持枠とモータの溶接箇所が剥離し、モータが回路基板の他面側から脱落することがある。
【０００５】
本発明は、携帯電話等に、落下等による衝撃が加わってもモータが回路基板から脱落することを防止することを目的とする。
【課題を解決するための手段】
【０００６】
前記課題を解決するために、請求項１に記載された発明は、回路基板の切欠き部に陥没状態で装着される保持枠付きモータであって、保持枠は、モータ胴部の周囲を全周囲んで保持し、その半径方向外方に突出し回路基板の一面側から切欠き部の縁部に載置される載置部を有し、切欠き部の縁部に固定されることを特徴とする。
【０００７】
請求項２に記載された発明は、請求項１に記載の発明において、保持枠は、軟質樹脂製であり、弾性変形して回路基板の切欠き部に嵌め込まれることを特徴とする請求項１に記載の保持枠付きモータ。
【０００８】
請求項３に記載された発明は、請求項２に記載の発明において回路基板の給電部は回路基板の切欠き部の縁に沿って設けられており、モータの給電端子は回路基板の給電部に対向して且つモータの回転軸方向に沿って設けられた接地部を備え、接地部は、回路基板の給電部に固定されており且つ載置部と回路基板の給電部とに挟まれていることを特徴とする。
【０００９】
請求項４に記載された発明は、請求項３に記載の発明において、給電端子の接地部の寸法はモータ胴部の回転軸方向の長さの半分以上であることを特徴とする。
【００１０】
請求項５に記載された発明は、請求項４に記載の発明において、給電端子の基端部はモータの回転軸線に交差する端面に固定されており、給電端子の先端部は保持枠に係止する係止部を備え、給電端子の接地部は基端部と先端部との間に位置することを特徴とする。
【００１１】
請求項６に記載された発明は、請求項５に記載の発明において、保持枠には給電端子の先端部を挿通する挿通孔が形成されており、係止部は、弾性変形可能に設けられており、給電端子の先端部を挿通孔に挿通するときに弾性変形して挿通孔を通り、挿通後弾性復帰して挿通孔の径方向外側に突出して挿通孔の周囲部に係止することを特徴とする。
【００１２】
請求項７に記載された発明は、請求項６に記載の発明において、回路基板の切欠き部の縁には凹部又は凸部が形成されており、保持枠は切欠き部の端面の凹部又は凸部に嵌合する嵌合部を備えたことを特徴とする。
【００１３】
請求項８に記載された発明は、請求項１〜７の何れか一項に記載の発明において、回転軸に分銅を偏心固定したことを特徴とする。
【００１４】
請求項９に記載された発明は、請求項８に記載の保持枠付きモータを回路基板に備えたことを特徴とする携帯電話である。
【発明の効果】
【００１５】
請求項１に記載の発明によれば、保持枠はモータ胴部の周囲を全周囲んで保持して且つ保持枠を回路基板の切欠き部の縁部に固定するので、モータ胴部を保持枠で確実に保持しつつ切欠き部に固定することができる。従って、携帯電話等の落下衝撃等によりモータが回路基板から脱落することを防止できる。
【００１６】
請求項２に記載の発明によれば、請求項１に記載の発明と同様の効果を奏すると共に、
保持枠を切欠き部に簡単に固定できる。また、樹脂製の保持枠でモータ胴部の全周を囲んでいるので、モータ胴部の耐熱性を向上させることができる。従って、モータを装着した回路基板を高温炉内に通過させて各電子部品と共に半田付けするときに、モータを高熱から保護することができる。
【００１７】
請求項３に記載の発明によれば、請求項２に記載の発明と同様の効果を奏すると共に、
給電端子の接地部を回路基板の給電部に固定し且つ給電端子の接地部を保持枠の載置部と回路基板の給電部とで挟んでいるので、給電端子の接地部と給電部とを強固に固定できる。従って、モータと切欠き部との固定を強固にすることができる。
【００１８】
請求項４に記載の発明によれば、請求項３に記載の発明と同様の効果を奏すると共に、
回路基板給電部に固定される給電端子の接地部の面積が大きいので、給電端子の接地部と回路基板の給電部との固定を強化できる。従って、モータと切欠き部との固定を強化できる。
【００１９】
請求項５に記載の発明によれば、請求項４に記載の発明と同様の効果を奏すると共に、給電端子の係止部が保持枠に係止されているので、給電端子と保持枠とを固定することができる。従って、保持枠付きモータを回路基板の給電部に強固に固定できる。
【００２０】
請求項６に記載の発明によれば、請求項５に記載の発明と同様の効果を奏すると共に、
係止部は弾性変形可能なので、給電端子の先端部を挿通孔に簡単に挿通でき且つ周囲部に簡単に係止することができる。従って、給電端子を保持枠に簡単に固定できる。
【００２１】
請求項７に記載の発明によれば、請求項６に記載の発明と同様の効果を奏すると共に、
保持枠の嵌合部を切欠き部に形成された凹部又凸部に弾性的に嵌合させる簡易な構成で、保持枠を切欠き部の縁に確実に固定できる。
【００２２】
請求項８に記載の発明によれば、請求項１〜７の何れか一項に記載の発明と同様の効果
を奏すると共に、振動モータが分銅側に倒れること（前のめり）を防止できる。
【００２３】
請求項９に記載の発明によれば、請求項８に記載の発明と同様の効果を奏する振動モータを備えた携帯電話を提供できる。
【発明を実施するための最良の形態】
【００２４】
以下に、添付図面を参照して、本発明の第１実施の形態を詳細に説明する。図１は本実施の形態に係る保持枠付きモータの図４（ｂ）におけるＡ―Ａ断面図であり、図２は本実施の形態に係る保持枠付きモータの図３におけるＣ−Ｃ断面図であり、図３は本実施の形態に係る保持枠付きモータの図１におけるＢ−Ｂ断面図あり、図４（ａ）は本実施の形態に係る保持枠付きモータ及び回路基板の斜視図であり、保持枠付きモータを回路基板の切欠き部に装着する前の状態を示している。図４（ｂ）は本実施の形態に係る保持枠付きモータ及び回路基板の斜視図であり、保持枠付きモータを回路基板の切欠き部に装着した状態を示している。
【００２５】
本実施の形態に係る保持枠付きモータ１は、携帯電話等で着信時にその筐体を振動させる振動モータとして用いられるものであり、図１に示すように、回転軸３を有する回転子と固定子を内蔵したモータ胴部５と、回路基板６に設けられた一対の給電部７а、７ｂと電気的な接続をする一対の給電端子９а、９ｂと、モータ胴部５を保持する耐熱性の樹脂製保持枠１１と、回転軸３に固定された分銅１３（図３参照）とを備えている。尚、本実施の形態では、保持枠１１は、耐熱性液晶ポリマ（軟質樹脂）である。
【００２６】
モータ１は、いわゆるコアレスモータであり、円筒形状のモータ胴部５の内部には、コイルがカップ状に巻かれたロータが収容されている。ロータの内側には、永久磁石が設けられている。ロータの中心には、軸受けで支持された回転軸３が固定され、回転軸３はモータ胴部５の前端から突出している。
【００２７】
モータ胴部５の内部においては、回転軸３に整流子が固定され、整流子には一対のブラシが接触している。各ブラシには、板状のモータ端子が固定されている。回転軸３の先端部には略半円柱状の分銅１３が偏心固定されている。
【００２８】
保持枠１１は、図１に示すように、左右対称の形状であり、回路基板６（樹脂製の板）の第１切欠き部１５а（図４（ａ）参照）に装着されるようになっている。尚、切欠き部１５は、図４（ａ）に示すように、Ｔ字状であり、Ｔの縦辺に相当する第１切欠き部１５аとＴの横辺に相当する第２切欠き部１５ｂとから成る。回路基板６には、各給電部７а、７ｂが、第１切欠き部１５аの対向する縁２４а、２４ｂの上側（縁部）８а、８ｂに且つ各縁２４а、２４ｂに沿って設けられている。
【００２９】
保持枠１１は、図１に示すように、モータ胴部５を回路基板６の上側（一面側）から密着して保持する一方の保持部１０аと、モータ胴部５を回路基板の下側（他面側）から密着して保持する他方の保持部１０ｂとから成る。尚、一方及び他方の保持部１０а、１０ｂは一体成形されている。
【００３０】
一方の保持部１０аは、図１に示すように縦断面が略Ｕ字状に形成されており、図３に示すようにモータ胴部５の前端付近から後端付近に亘る範囲を上側から覆っている。
【００３１】
図１に示すように、一方の保持部１０аのＵ字の一端側及び他端側には、各々、回路基板に載置される一方の載置部１７а及び他方の載置部１７ｂが形成されている。また、一方の保持部１０аのＵ字の一端側及び他端側には、各々、回路基板６の第１切欠き部１５аと嵌合する一方及び他方の嵌合部２１а、２１ｂが形成されている。
【００３２】
一方の保持部１０аの後端側には、図４（ａ）に示すように、モータ胴部５の後端部と嵌合する位置決め部１２が形成されている。これにより、モータ胴部５が保持枠１１に対し確実に位置決めされる。一方の保持部１０аの上面２０は平坦になっている。
【００３３】
他方の保持部１０ｂは、図１に示すように、縦断面が略Ｕ字状に形成されており、図３に示すように、モータ胴部５の前端付近からモータ胴部５の回転軸３方向の長さの４０％位に亘っており、回転軸３に分銅１３を偏心固定したモータの重心Ｇ付近を下側から保持している。他方の保持部１０ｂのＵ字の一端及び他端は、各々、一方の保持部１０аのＵ字の一端及び他端に連続している。
【００３４】
各載置部１７а、１７ｂは、図１に示すように、各給電部７а、７ｂに対向するように（保持枠１１の半径方向外方に）張り出し（突出し）ている。
【００３５】
各嵌合部２１а、２１ｂは、第１切欠き部１５аの各縁２４а、２４ｂ（図４（ａ）参照）に向けて湾曲状に突出しており、図１の部分拡大図及び図２の部分拡大図に示すように、各々、各縁２４а、２４ｂに形成された湾曲状の各凹み２５а、２５ｂと弾性的に嵌合するようになっている。
【００３６】
各給電端子９а、９ｂは、一対のモータ端子に対応して設けられており、各モータ端子と各給電部７а、７ｂとの電気的な接続をする。各給電端子９а、９ｂは、銅合金製の板から形成されている。
【００３７】
各給電端子９а、９ｂは、図２及び図３に示すように、モータ端子に取り付けられる取付け部２７と、取付け部２７に連続する基端部２９と、基端部２９に連続する接地部３３とを備えている。
【００３８】
取付け部２７の先端部３５はモータ端子に半田付けで固定されており、図３に示すように、取付け部２７は回転軸３に平行に一方の保持部１０аの後端４まで直線状に延びている。
【００３９】
基端部２９は、取付け部２７に直角に連続しており、一方の保持部１０аの後端４に沿うように形成されている。
【００４０】
接地部３３は、図２の部分拡大図及び図３に示すように、基端部２９に直角に連続して、一方の保持部１０аの後端４から前端２に向かって且つ保持枠１１の各載置部１７а、１７ｂに沿って直線状に延びている。
【００４１】
接地部３３の寸法は、モータ胴部５の回転軸３方向の長さの半分以上で１００％以下であることが好ましく、本実施の形態では７０％位にしてある。半分以上とするのは、充分な半田溶接面積を確保するためであり、１００％以下とするのは接地部３３が第２切欠き部１５ｂ側に突出して分銅等に干渉することを防止するためである。尚、図３のＥ―Ｅ線は、モータ胴部５を２等分する線である。
【００４２】
接地部３３の上面３２は、図３に示すように、各載置部１７а、１７ｂに接触しており、接地部３３の下面４３は各給電部７а、７ｂに接触している。各給電部７а、７ｂの接地部３３は、各給電部７а、７ｂに半田付けで固定されている。
【００４３】
次に、本実施の形態に係る保持枠付きモータ１を回路基板６の切欠き部１５に固定する手順を説明する。先ず、一方の保持部１０аの上面２０を吸着機で吸着して、保持枠付きモータ１をピックアップする。図４（ａ）に示すように、保持枠１１を回路基板６の第１切欠き部１５а側に、分銅１３を第２切欠き部１５ｂ側に向けて、他方の保持部１０ｂを切欠き部１５に挿入していく。他方の保持部１０ｂを挿入した後、一方及び他方の嵌合部２１а、２１ｂを、各々、第１切欠き部１５аの凹み２５а、２５ｂに嵌め込む。このようにして、モータ１を切欠き部１５に装着すると、モータ１は、図４（ｂ）示すように凡そ下半分が回路基板６に陥没状態となる。
【００４４】
保持枠１１が第１切欠き部１５аに装着されると、各給電端子９а、９ｂの接地部３３は、各載置部１７а、１７ｂにより回路基板６の各給電部７а、７ｂに押圧される。即ち、モータ１が回路基板６の切欠き部１５に装着された場合には、接地部３３は各載置部１７а、１７ｂと各給電部７а、７ｂとの間に挟まって圧接状態となる。
【００４５】
この状態で、回路基板６を高温炉内に通過させることにより、回路基板６の各給電部７а、７ｂに予め塗布したペースト状の半田を溶解させて、各給電端子９а、９ｂの接地部３３を各給電部７а、７ｂに半田付けにより固定する。
【００４６】
以下に、本実施の形態にかかる保持枠付きモータの作用効果を説明する。本実施の形態によれば、保持枠１１はモータ胴部５の周囲を全周囲んで保持して且つ保持枠１１を回路基板６の切欠き部１５の縁部８а、８ｂに固定するので、モータ胴部５を保持枠１１で確実に保持しつつ切欠き部１５に固定することができる。従って、携帯電話等の落下衝撃等によりモータ１が回路基板６から脱落することを防止できる。
【００４７】
保持枠１１の各嵌合部２１а、２１ｂを第１切欠き部１５аに形成された凹み（凹部又は凸部）に弾性的に嵌合させる簡易な構成で、保持枠１１を切欠き部１５の縁部８а、８ｂに固定できる。
【００４８】
各給電端子９а、９ｂの接地部３３を回路基板６の各給電部７а、７ｂに固定し且つ各給電端子９а、９ｂの接地部３３を保持枠１１の各載置部１７а、１７ｂと回路基板６の各給電部７а、７ｂとで挟んでいるので、各給電端子９а、９ｂの接地部３３と各給電部７а、７ｂとを強固に固定できる。従って、保持枠付きモータ１と切欠き部１５との固定を強固にできる。
【００４９】
回路基板６の各給電部７а、７ｂに固定される各給電端子９а、９ｂの接地部３３の面積が大きいので、各給電端子９а、９ｂの接地部３３と回路基板６の各給電部７а、７ｂとの固定を強化できる。従って、半田溶接面積を充分に確保して接地部３３と各給電部７а、７ｂとの剥離を防止でき、保持枠付きモータ１と切欠き部１５との固定を強化できる。
【００５０】
回路基板６の切欠き部１５に装着される従来のモータは、保持枠と給電端子を別個に半田付けするので保持枠と給電端子の平面度管理が必要であるのに対し、本実施の形態では各給電端子９а、９ｂのみを回路基板６に半田付けで固定するため、保持枠１１と各給電端子９а、９ｂの平面度管理は不要である。
【００５１】
保持枠１１の各嵌合部２１а、２１ｂが回路基板６の第１切欠き部１５аの各凹部２５а、２５ｂに弾性的に嵌合するので、突っ張り作用が働き、回転軸３に固定した分銅１３が重くても、保持枠付きモータ１が、高温炉内を通過するときに分銅１３側に倒れること（前のめり）を防止できる。
【００５２】
各給電端子９а、９ｂの接地部３３が一方の保持部１０аの後端４からモータ１の重心Ｇ付近まで延びており、これが各給電部７а、７ｂに固定されているので、モータ１が分銅１３側に倒れること（前のめり）を防止できる。
【００５３】
保持枠１１の各嵌合部２１а、２１ｂが回路基板６の第１切欠き部１５аの各凹部２５а、２５ｂに弾性的に嵌合するので、モータ１の回路基板６に対する位置ずれを防止できる。
【００５４】
モータ１を回路基板６の切欠き部１５に陥没状態となるように装着するため、携帯電話等の実装基板の薄型化を図れる。
【００５５】
一方の保持部１０аの上面２０は平坦なので、保持枠付きモータ１を吸着機でピックアップでき、機械的実装操作が可能となる。
【００５６】
保持枠１１は樹脂製なので、従来の金属製の保持枠に比べて、低コストで大量に製造できる。
【００５７】
樹脂製の保持枠１１でモータ胴部５の周囲を全周囲んでいるので、モータ１の耐熱性を向上させることができる。従って、回路基板６に装着されたモータ１を高温炉内に通過させるときに、モータ胴部５を高熱から保護することができる。
【００５８】
次に、他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。
【００５９】
本発明の第２実施の形態を図５〜図７を用いて説明する。本実施の形態では、図６及び図７に示すように、第１実施の形態における保持枠１１の後端部４５を別体に成形している。
【００６０】
各給電端子９а、９ｂは、図５に示すような左右対称の形状をしている。本実施の形態では、各給電端子９а、９ｂの接地部３３の寸法は、図６に示すように、モータ胴部５の回転軸３方向の長さの９０％位にしてある。
【００６１】
各給電端子９а、９ｂの先端部４７は、図５及び図６に示すように、接地部３３の先端４９に直角に連続して上側に延びている。先端部４７は、一方の保持部１０аに係止する係止部５１を備えている。係止部５１は、先端部４７の中間部分を下側から上側に向けて切り起して形成されており、弾性を有している（弾性変形可能である）。係止部５１は、前側に突出するように切り起されている。
【００６２】
保持枠１１の一方の保持部１０аには、図６の部分拡大図に示すように、先端部４７を挿通する挿通孔５５が形成されている。尚、図６の部分拡大図は、保持枠１１を図６におけるＡ−Ｂ線及びＢ−Ｃ線に沿って縦方向に切断した状態を示している。
【００６３】
挿通孔５５の上方には空間部６３があり、挿通孔５５の前側には段差部６１が形成されている。係止部５１は、図６の部分拡大図に示すように、挿通孔５５の周囲部５３に係止するようになっている。周囲部５３は、段差部６１の上面に位置している。
【００６４】
従って、先端部４７を挿通孔５５の下側から挿通していくと、係止部５１は突出量を小さくするように弾性変形して挿通孔５５を通過し、通過後、係止部５１は弾性復帰して挿通孔５５の径方向外側に突出して、周囲部５３に係止する。これにより、先端部４７は、挿通孔５５から下側に抜けなくなる。
【００６５】
本実施の形態によれば、各給電端子９а、９ｂの係止部５３を保持枠１１に係止することにより、各給電端子９а、９ｂと保持枠１１とを固定することができる。従って、モータ１と回路基板６の各給電部７а、７ｂとの固定を強化できる。
【００６６】
係止部５１は弾性変形可能なので、給電端子の先端部４７を挿通孔５５に簡単に挿通でき且つ周囲部５３に簡単に係止することができる。従って、各給電端子９а、９ｂを保持枠１１に簡単に固定できる。
【００６７】
保持枠１１の後端部４５が別体に成形されているので、後端部４５が一体に成形されている場合に比べ、保持枠１１の製造及び保持枠１１のモータ胴部５への組み付けを容易にすることができる。
【００６８】
本発明の第３実施の形態を図８及び図９を用いて説明する。本実施の形態では、第２実施の形態と異なり、給電端子９а、９ｂの係止部５１が後側に突出するように切り起されている。また、図８の部分拡大図に示すように、段差部６１は挿通孔５５の後側に位置している。尚、図８の部分拡大図は、保持枠１１を図８におけるＥ―Ｅ線に沿って縦方向に切断した状態を示している。
【００６９】
本実施の形態によれば、給電端子９а、９ｂの係止部５１が、基端部２９側（後側）に突出しているので、第２実施の形態よりも、係止部５１と保持枠１１との係止を強固にできる。従って、給電端子９а、９ｂと保持枠１１との固定を強化できる。
【００７０】
尚、本発明は、上述した実施形態に限定されることなく、その要旨を逸脱しない範囲で種々変形して実施できることは言うまでもない。
【００７１】
上述の実施の形態では、樹脂製の保持枠１１を用いているが、これに代えて、金属製の保持枠でモータ胴部の周囲を全周囲んで保持するようにしても良い。
【００７２】
上述の実施の形態では、一方の保持部１０аの各嵌合部２１а、２１ｂを湾曲状に突出させて、第１切欠き部１５аの湾曲状の各凹み２５а、２５ｂと嵌合させているが、これに代えて、各嵌合部２１а、２１ｂを湾曲状に凹ませて且つ第１切欠き部１５аの各縁２４а、２４ｂを湾曲状に突出させてこれらを嵌合させても良い。
【００７３】
上述の実施の形態では、各嵌合部２１а、２１ｂを湾曲状に突出させて、第１切欠き部１５аの湾曲状の各凹み２５а、２５ｂと嵌合させているが、これに限らず、例えば、各嵌合部を縦断面が三角形状になるように突出させて且つ第１切欠き部１５аの各縁に三角形状の凹部を形成してこれらを嵌合させても良い。
【００７４】
他方の保持部１０ｂの回転軸３方向の長さ及び位置等は、上述の実施の形態におけるものに限られず、分銅１３の重さやモータ１の形状等により適宜変更してもよい。例えば、一方の保持部１０аの前端２から後端４に亘る範囲を下側から覆うように他方の保持部１０ｂを形成しても良いし、また、モータ１の重心Ｇの前から後にかけてモータ胴部５の長さの２０％位を下側から覆うように他方の保持部１０ｂを形成しても良い。
【００７５】
給電端子９の形状・大きさ・材質は変更可能であり、上述の実施の形態におけるものに限られず、例えば、給電端子９の接地部３３の長さをモータ胴部５の長さの６０％又は８０％位にしても良い。
【００７６】
上述の実施の形態では、一方の保持部１０аに各嵌合部２１а、２１ｂを形成し且つ第１切欠き部１５аに各凹み２５а、２５ｂを形成しているが、これに限らず、各嵌合部２１а、２１ｂ及び各凹み２５а、２５ｂを形成しないで、単に保持枠１１を弾性変形させて切欠き部１５に嵌め込んでも良い。
【図面の簡単な説明】
【００７７】
【図１】第１実施の形態に係る保持枠付きモータの図４（ｂ）におけるＡ―Ａ断面図である。
【図２】第１実施の形態に係る保持枠付きモータの図３におけるＣ−Ｃ断面図である。
【図３】第１実施の形態に係る保持枠付きモータの図１におけるＢ―Ｂ断面図である。
【図４】（ａ）は第１実施の形態に係る保持枠付きモータを回路基板の切欠き部に装着する前の状態を示す斜視図であり、（ｂ）は第１実施の形態に係る保持枠付きモータを回路基板の切欠き部に装着した状態を示す斜視図である。
【図５】第２実施の形態に係る保持枠付きモータの給電端子を抜き出して示す斜視図である。
【図６】第２実施の形態に係る保持枠付きモータの保持枠と給電端子を抜き出して示す斜視図である。
【図７】第２実施の形態に係る保持枠付きモータの後端部周辺を抜き出して示す斜視図である。
【図８】第３実施の形態に係る保持枠付きモータの保持枠と給電端子を抜き出して示す斜視図である。
【図９】第３実施の形態に係る保持枠付きモータの給電端子を抜き出して示す斜視図である。
【符号の説明】
【００７８】
１                保持枠付きモータ
３                回転軸
４                一方の保持部の後端（モータの端面）
５                モータ胴部
６                回路基板
７а、７ｂ        回路基板の給電部
８а、８ｂ        切欠き部の各縁部（切欠き部の縁部）
９а、９ｂ        給電端子
１０а、１０ｂ    一方の保持部、他方の保持部
１１              保持枠
１３              分銅
１５              切欠き部
１５а            第１切欠き部（切欠き部）
１７а、１７ｂ    一方の載置部、他方の載置部
２１а、２１ｂ    一方の嵌合部、他方の嵌合部
２４а、２４ｂ    切欠き部の各縁（切欠き部の縁）
２５а、２５ｂ    各凹み（凹部又は凸部）
２９              給電端子の基端部
３３              給電端子の接地部
４７              給電端子の先端部
５１              係止部
５３              周囲部
５５              挿通孔
【図１】
2009177870.tif 000003
【図２】
2009177870.tif 000004
【図３】
2009177870.tif 000005
【図４】
2009177870.tif 000006
【図５】
2009177870.tif 000007
【図６】
2009177870.tif 000008
【図７】
2009177870.tif 000009
【図８】
2009177870.tif 000010
【図９】
2009177870.tif 000011